【事件の表示】
　特許第３３３５９９８号「多層表示装置」の請求項１、２、７に係る特許に対する特許異議の申立てについて、次のとおり決定する。
【結　論】
　訂正を認める。
　特許第３３３５９９８号の請求項１、２、７に係る特許を維持する。
【理　由】
１． 手続の経緯
　特許第３３３５９９８号の請求項１ないし１５に係る発明は、平成１０年７月１０日に特許出願（優先権主張　１９９８年２月２０日、１９９８年２月２４日　ニュー・ジーランド（ＮＺ））され、平成１４年８月２日にその特許権の設定登録がなされ、その後、日本電信電話株式会社より特許異議の申立てがなされ、取消しの理由が通知され、その指定期間内である平成１６年１１月１０日に訂正請求がなされたものである。
　
２． 訂正の適否についての判断
（１） 訂正の内容
　 訂正事項ａ
　特許請求の範囲の請求項１の記載について、「背景の像の前に配置されている、」とあるのを、「背景の像の前に、したがって、前記表示装置のうち少なくとも二つの間に配置されており、特徴として、前記表示装置は、分離されており、これによって、見られたときに、各表示装置間、および各表示装置に表示された像の間に物理的な深さが与えられており、かつ、わずかに光を拡散する層の効果は、前記表示装置の間のモアレ干渉を低減することである」と訂正する。
（２） 訂正の目的の適否、新規事項の有無及び拡張・変更の存否
　上記訂正事項ａは、発明を特定する事項である「背景の像の前に配置されている」を「背景の像の前に、したがって、前記表示装置のうち少なくとも二つの間に配置されており、特徴として、前記表示装置は、分離されており、これによって、見られたときに、各表示装置間、および各表示装置に表示された像の間に物理的な深さが与えられており、かつ、わずかに光を拡散する層の効果は、前記表示装置の間のモアレ干渉を低減することである」に変更したものであるところ、表示装置を減縮するものであり、しかも、この点については、願書に添付された明細書の段落０００８，０００９，００１１，００１２，００１８，００２６に記載されているから、特許請求の範囲の減縮を目的とした明細書の訂正に該当し、新規事項の追加に該当せず、実質的に特許請求の範囲を拡張又は変更するものではない。
（３） むすび
　したがって、上記訂正は、特許法第１２０条の４第２項及び同条第３項で準用する第１２６条第２項から第４項までの規定に適合するので、当該訂正を認める。
　
３． 特許異議申立てについての判断
（１） 申立ての理由の概要
　申立人日本電信電話株式会社は、請求項１、２に係る発明は甲第１号証（特開平１０−３１２０３３号公報）と同一であり、また、請求項１、７に係る発明は、甲第２号証（テレビジョン学会技術報告、Vol.20,No.5（1996年2月発行）、第61〜66頁）、甲第３号証（特開昭６３−２７４９１８号公報）甲第４号証（特開平９−９６７８９号公報）、甲第５号証（特開昭６１−２００７８３号公報）甲第６号証（特開平９−４３５４０号公報）をもとに容易に発明をすることができたものであり、特許法第２９条の２および第２９条第２項の規定により、特許を受けることができないものであるから、特許を取り消すべきと主張している。
（２） 本件の請求項１ないし１５に係る発明
　上記２．で示したように上記訂正が認められるから、本件の請求項１ないし１５に係る発明（以下、「本件発明１」ないし「本件発明１５」という。）は、上記訂正請求に係る訂正明細書の特許請求の範囲の請求項１ないし１５記載された事項により特定される以下のとおりのものである。
【請求項１】　多層像を用いる表示装置であり、前記各層は単独の表示装置または表示装置の組み合わせからできており、正面側にあるスクリーンは選択的に透明にでき、わずかに光を拡散する層が背景の像の前に、したがって、前記表示装置のうち少なくとも二つの間に配置されており、特徴として、前記表示装置は、分離されており、これによって、見られたときに、各表示装置間、および各表示装置に表示された像の間に物理的な深さが与えられており、かつ、僅かに光を拡散する層の効果は、前記表示装置の間のモアレ干渉を低減することである表示装置。
【請求項２】　上記層の間に屈折体を有する、請求項１に記載の表示装置。
【請求項３】　上記屈折体は、光学的に透明な材料から形成されており、像の間に配置されていることにより、正面側の像がその後方にあるスクリーンの端縁から４５°もの位置にある、請求項２に記載の表示装置。
【請求項４】　上記屈折体がフレネルレンズである、請求項２に記載の表示装置。
【請求項５】　上記屈折体における、後方スクリーンに対面した面が光拡散されている、請求項２または３に記載の表示装置。
【請求項６】　多像の間のスペースはリアルタイムで調節可能である、請求項１に記載の表示装置。
【請求項７】　多層像を用いる、請求項１〜６のいずれかに記載の表示装置であり、前記各層は光透過性偏光表示装置の組み合わせからできており、内部的に対面する一つまたは複数の偏光板が除去されている、表示装置。
【請求項８】　前記光を拡散する層は、正面側の像への偏光を拡散するようになっている、請求項１〜７のいずれかに記載の表示装置。
【請求項９】　光を拡散して正面側の像を不透明にするための選択的な光拡散体を有する、請求項１ないし８のいずれかに記載の表示装置。
【請求項１０】　選択的な光拡散体を有しており、この選択的な光拡散体は、偏光を拡散することにより、正面側の像を見えなくする、請求項１ないし９のいずれかに記載の表示装置。
【請求項１１】　２次元の像に基づいて、多層像を作るための奥行きを抽出する構成となっている、請求項１ないし１０のいずれかに記載の表示装置。
【請求項１２】　以前のフレームと次のフレームとのピクセルの変化量が、各スクリーンに割り当てるための前記奥行きの量を示す、請求項１１に記載の表示装置。
【請求項１３】　ピクセルの小群における焦点距離を表す量が各スクリーンに割り当てるための奥行きの量を示す、請求項１２に記載の表示装置。
【請求項１４】　ピクセルの小群におけるシャープネスを表す量が各スクリーンに割り当てるための奥行きの量を示す、請求項１２ないし１３のいずれかに記載の表示装置。
【請求項１５】（省略）
　
（３） 刊行物等
　特許異議申立人が証拠として提示した刊行物およびその他の刊行物をもとにした取消理由の先願および刊行物１ないし８は以下のとおりである。
　
　先願１：特願平９−１２２６１１号（特開平１０−３１２０３３号公報）
　刊行物１：テレビジョン学会技術報告、Vol.20,No.5 (1996年2月発行）,61〜66頁（異議申立て人の提出した甲第２号証）
　刊行物２：特開昭６３−２７４９１８号公報（異議申立て人の提出した甲第３号証）
　刊行物３：特開平９−９６７８９号公報（異議申立て人の提出した甲第４号証）
　刊行物４：特開昭６１−２００７８３号公報（異議申立て人の提出した甲第５号証）
　刊行物５：特開平９−４３５４０号公報（異議申立て人の提出した甲第６号証）
　刊行物６：特開平３−２３３５４８号公報
　刊行物７：特開平９−１０２９６９号公報
　刊行物８：特開平９−１３３８９３号公報
　
　上記先願１は、カラーの液晶パネルとモノクロの液晶パネルを重ねた表示装置であって、カラーの液晶パネルとモノクロの液晶パネルには同一信号が付加されており、モノクロの液晶パネルは透過型の表示素子であり、モアレを抑止するため、カラーの液晶パネルの前に配置されている拡散板を具備しており、上記刊行物１には、奥行き方向に複数枚の透過型の液晶パネルを配置した表示装置が開示され、上記刊行物２には、第１、２の液晶セルを備えたディスプレイ装置であって、選択的に液晶の光学的性質を変化させ入射光を透過させる点が開示され、上記刊行物３には、フレネルレンズと光を遮光もしくは透過させる液晶表示パネルを有する表示装置であって、フレネルレンズの光出射面にモアレの発生を抑制する拡散板が配置されている点が開示され、上記刊行物４、５には、表示装置と表示装置と同様な周期的構造を有するスクリーン等とを組み合わせることによりモアレが発生する点が開示され、上記刊行物６ないし８には、表示装置の前（すなわち観察者から見て手前側）にあって、表示装置の像が透過して（わずかに拡散して）みられ、モアレを防止する光拡散層について開示されており、特に、刊行物６には表示装置間のモアレを防止する光拡散層が開示され、また、刊行物７，８には、３次元画像用の表示装置におけるモアレ防止用光拡散層について開示されている。
（４） 対比・判断
　本件発明１，２，７と上記先願１および上記刊行物１ないし８に記載のもの（以下「刊行物等のもの」という）とを対比すると、刊行物等のものは、本件発明１、２、７を特定する事項である、「わずかに光を拡散する層が背景の像の前に、したがって、前記表示装置のうち少なくとも二つの間に配置されており、特徴として、前記表示装置は、分離されており、これによって、見られたときに、各表示装置間、および各表示装置に表示された像の間に物理的な深さが与えられて」いる点を備えていない。
　すなわち、先願１のものは、カラーの液晶パネルとモノクロの液晶パネルに同一信号が付加されているので「像の間に物理的な深さが与えられて」いるとはいえず、また刊行物１ないし８には「わずかに光を拡散する層が（中略）表示装置のうち少なくとも二つの間に配置され」ている点を開示していない。
　そして、上記点により本件発明１，２，７は、明細書記載の顕著な効果を奏するのであり、本件発明１，２，７が刊行物等のものと同一あるいは容易に発明をすることができたものとはいえない。
　また、請求項１，２，７に直接的あるいは間接的に従属している請求項３ないし６、８ないし１４に係る発明については、本件発明１，２，７が上記のごとく刊行物等のものと同一あるいは容易に発明をすることができたものとはいえないから、刊行物等のものから独立して特許を受けることができないものということもできない。
（５） むすび
　以上のとおりであるから、特許異議申立ての理由及び証拠によっては、本件請求項１、２、７に係る特許を取り消すことができない。
　また、他に本件請求項１、２、７に係る特許を取り消すべき理由を発見しない。
　よって、結論のとおり決定する。
【異議決定日】
平成１７年１月２０日（２００５．１．２０）
【訂正の要旨】
審決（決定）の【理由】欄参照。
（５４）【発明の名称】
多層表示装置
（５７）【特許請求の範囲】
　【請求項１】　多層像を用いる表示装置であり、前記各層は単独の表示装置または表示装置の組み合わせからできており、正面側にあるスクリーンは選択的に透明にでき、わずかに光を拡散する層が背景の像の前に
、したがって、前記表示装置のうち少なくとも二つの間に
おり、特徴として、前記表示装置は、分離されており、これによって、見られたときに、各表示装置間、および各表示装置に表示された像の間に物理的な深さが与えられており、かつ、僅かに光を拡散する層の効果は、前記表示装置の間のモアレ干渉を低減することである
　【請求項２】　上記層の間に屈折体を有する、請求項１に記載の表示装置。
　【請求項３】　上記屈折体は、光学的に透明な材料から形成されており、像の間に配置されていることにより、正面側の像がその後方にあるスクリーンの端縁から４５°もの位置にある、請求項２に記載の表示装置。
　【請求項４】　上記屈折体がフレネルレンズである、請求項２に記載の表示装置。
　【請求項５】　上記屈折体における、後方スクリーンに対面した面が光拡散されている、請求項２または３に記載の表示装置。
　【請求項６】　多像の間のスペースはリアルタイムで調節可能である、請求項１に記載の表示装置。
　【請求項７】　多層像を用いる、請求項１〜６のいずれかに記載の表示装置であり、前記各層は光透過性偏光表示装置の組み合わせからできており、内部的に対面する一つまたは複数の偏光板が除去されている、表示装置。
　【請求項８】　前記光を拡散する層は、正面側の像への偏光を拡散するようになっている、請求項１〜７のいずれかに記載の表示装置。
　【請求項９】　光を拡散して正面側の像を不透明にするための選択的な光拡散体を有する、請求項１ないし８のいずれかに記載の表示装置。
　【請求項１０】　選択的な光拡散体を有しており、この選択的な光拡散体は、偏光を拡散することにより、正面側の像を見えなくする、請求項１ないし９のいずれかに記載の表示装置。
　【請求項１１】　２次元像に基づいて、多層像を作るための奥行きを抽出する構成となっている、請求項１ないし１０のいずれかに記載の表示装置。
　【請求項１２】　以前のフレームと次のフレームとのピクセルの変化量が、各スクリーンに割り当てるための前記奥行きの量を示す、請求項１１に記載の表示装置。
　【請求項１３】　ピクセルの小群における焦点距離を表す量が各スクリーンに割り当てるための奥行きの量を示す、請求項１２に記載の表示装置。
　【請求項１４】　ピクセルの小群におけるシャープネスを表す量が各スクリーンに割り当てるための奥行きの量を示す、請求項１２ないし１３のいずれかに記載の表示装置。
　【請求項１５】　多層像を用いる表示装置であり、前記各層は単独の表示装置または表示装置の組み合わせからできており、正面側にあるスクリーンは選択的に透明にでき、重ねられた前記層の間において像のピクセルの配列構造は、互いに４５°の角度で交差している、表示装置。
【発明の詳細な説明】
　【０００１】
−−技術分野−−
　本発明は表示装置に係り、さらに詳しくは、多層の画像を含む表示構造、および、二次元ビデオデータから奥行きを抽出してその表示装置に表示させる方法に関する。
　【０００２】
−−背景技術−−
　従来の表示装置は、二次元スクリーンに画像を提示する。通常の表示装置としては、ブラウン管（ＣＲＴ）、液晶表示装置（ＬＣＤ）、電界効果型表示装置（ｆｉｅｌｄ　ｅｆｆｅｃｔ　ｄｉｓｐｌａｙ（ＦＥＤ））、投射表示装置がある。これまで、二次元表示装置において奥行きがあるかのように見せるために様々な工夫がこらされてきた。それらの方法では、見る者の両目に別々の像を提示することにより、奥行きがあるように見せている。
　【０００３】
　奥行きを感じさせる代表的な方法は、立体的表示装置または自動立体的表示装置（オートステレオスコピック・ディスプレイ（ａｕｔｏ−ｓｔｅｒｅｏ　ｓｃｏｐｉｃ　ｄｉｓｐｌａｙｓ））である。
　立体的表示装置は、一般的に、複合的な画像を用い、この複合的な画像は、見る者が装着した眼鏡によって二つの画像に分離される。その眼鏡の各アイピースは、ある特性の光パターンの通過を許容し、両方の目それぞれへ届くようにする。これを達成する一般的な方法には、偏光板、シャッター付き眼鏡、回折格子、多色レンズ、二つのスクリーンを持ち頭に装着される表示装置（ｄｕａｌ　ｓｃｒｅｅｎ　ｈｅａｄ　ｍｏｕｎｔｅｄ　ｄｉｓｐｌａｙｓ）の使用がある。
　【０００４】
　自動立体的表示装置は、眼鏡を使わないが、その代わりに通常はスクリーン上の立体像がレンズまたは光学的格子で揃えられて、見る者の両目それぞれの全体に結像するようなレンズ構造を用いる。
　これらの表示装置の大きな問題は、見る者の両目の間の距離に適合するように立体像の収束を得ることができないことである。不正確な収束の下で長時間見ることは、空間感覚機能の失調や吐き気を催させる。また、たいていの自動立体的表示装置の場合、使用されたレンズの焦点距離によって視野範囲が拘束される。このため、単一のスクリーンを同時に見ることができる者の人数が制限され、従来の自動立体的表示装置では、一人か二人しか同時に見ることはできない。一方、従来の立体的表示装置では、観客全員が眼鏡を装着することが必要になる。さらに、これらの方法は、両方とも、見る者の動作があっても視差を認識するために、頭の位置を追跡する装置（ｈｅａｄ　ｔｒａｃｋｉｎｇ　ｄｅｖｉｃｅ）の使用を必要とする。
　【０００５】
　また、複数のレベルの像を使う構想がすでにされている（米国特許第４７３６２１４号）。これらの構想では、単一または複数の光源からの複数の反射像を用いる。これらの構想における複数の反射像は、幽霊のような多層像を形成するが、そのような多層像は通常の光条件では普通は見ることができない。
　【０００６】
　これらの表示装置にアンテナ、ＶＣＲ、ケーブルなどを介して送信される像は、通常、送信の間は圧縮されている。これらの圧縮アルゴリズムにおいては、連続したフレーム相互の間のピクセル変化に基づいて圧縮するのが普通である。
　【０００７】
　本発明は、上記の課題を解決し、少なくとも便利な選択肢を公衆に与えることを目的とする。
　本発明のさらなる特徴や効果は以下の説明により明らかにされるが、その説明は例示のためになされるに過ぎない。
　【０００８】
−−発明の開示−−
　本発明は、上記の表示装置の制限を改善し、現実の奥行きを持つ表示装置を提案することを目的とする。
　本発明によれば、選択的に透明になる多層のスクリーンによって奥行きが形成される。各スクリーンは、一つの画像を見せることができる。各最前のスクリーンもまた透明になることが可能である。
　【０００９】
　本発明の好適な実施形態は、像を抽出して多層表示装置の各スクリーンに表示されるべき別々のチャネルに振り分ける普通の圧縮アルゴリズムを用いながら、本来の奥行きを設けるために選択的に透明になる多層のスクリーンを組み合わせることにより、奥行きを持つ改善された表示装置を提供する。多層の技術の実行は、従来技術における多くの問題を解決するという目的を達成するために使用されている。
　【００１０】
　この明細書では全体にわたって、各スクリーン層にＬＣＤを利用するものとして本発明を説明する。しかし、本発明に関して、選択的に像を見せ選択的に透明になる他の種類のスクリーンを使うことができ、必ずしもＬＣＤでなくてもよいことは、当業者には理解できるだろう。
　【００１１】
　本発明の好適な実施形態では、スクリーンはあらかじめ調整された距離をもって互いに平行に配置される。この距離は、スクリーンの大きさに応じた所望の奥行きレベルに従う。典型的には、この距離は正面スクリーンの縦の長さの１／４であるが、実際の距離は所望の効果に合わせて変更してもよい。また、スクリーンの間の距離は、効果を高めるためにリアルタイムで変更できるようにしてもよい。
　【００１２】
　見る者から最も離れたスクリーン（背景側スクリーン）上の像は、見る者に最も近いスクリーン（正面スクリーン）よりもいくらかの奥行きをもって後方にあるように見える。正面側スクリーン３における透明にされた部分によって、背景側スクリーンに示された像を見ることが可能になる。
　複数スクリーンを重ねるこの構造によって、多層に提示された像は、眼鏡やレンズを使わなくても、見る者に本来の奥行きを与える。また、この構造は、頭の位置を追跡する装置がなくても、見る者の動作があったときの視差を許容する。
　この表示装置には、より大きな奥行きを与えるためにさらに層を加えてもよい。
　【００１３】
　さらに、視野角を増すためにスクリーンの間に屈折体を配置してもよい。この屈折層は、その前側に配置されたスクリーンのフルサイズにまで視野角を増すように光を曲げる。この屈折体は、平行面を持った光学的に透明なシートでもよいし、例えばフレネルレンズのような他の形式のレンズでもよい。
　【００１４】
　選択された正面スクリーン装置が像を表示するのに偏光源を必要とするのであれば、偏光源は背景側スクリーン側から発散されるようにしてもよい。これは、非偏光なスクリーンの前に偏光シートを配置するか、ＬＣＤのような偏光出力装置を背景側スクリーンに使用することで達成される。
　背景側スクリーンから発散される偏光は、ＬＣＤ構造の正面スクリーンの後方の偏光板を除去したとしても、正面スクリーンが像を表示できるということにつながる。背景側スクリーンが、正面側スクリーンに視認可能な像を形成するのに必要な偏光を与えることができるからである。
　ＬＣＤ構造において偏光板の数を減らすことは、部品数の削減および表示の明度の向上という利益につながる。
　【００１５】
　かかる構造においては、偏光源が遮られたとしたら、正面側で表示すべき像はもはや正面側のスクリーンに現れなくなるだろう。偏光源と正面側スクリーンの間に高い光拡散性の物体を配置すると、その偏光が遮られた部分では、正面側で表示すべき像は見えなくなる。これは、正面側の像が拡散源の後方に通過しているのように見せるという効果をもたらす。この効果を向上させるため、拡散体が像を持つようにしてもよい。
　例えば、正面側のスクリーンが左から右へと移動する矢を表示する。その正面側スクリーンと偏光板との間に、光拡散性物体に印刷されたリンゴの像がある。拡散性物体によって偏光源が遮られた位置に矢がある時には、拡散性物体に印刷されたリンゴに矢が命中したかのように見えるだろう。
　【００１６】
　拡散性物体に代えて選択的に光を拡散する物を用いることにより、後方スクリーン上の像を拡散し、無限の奥行きがあるかのように見せることができる。
　【００１７】
　多層のＬＣＤが使用される場合には、背景側のＬＣＤの偏光角が、正面側のＬＣＤの後ろ側の偏光角に揃うように、ＬＣＤの偏光板は整列しなければならない。高い輝度が望まれる場合や、正面側の像が反転可能とされる場合には、そのような偏光板の整列は不要である。この場合には、反転した正面側の像は、反転していないように見える（反転像の反転は無反転像だからである）。
　【００１８】
　ある種のスクリーンの組み合わせにおいては、モアレ干渉パターンを避けるために、わずかに光を拡散する層を設けることが必要かもしれない。このことはさらに、偏光板を整列させる必要性をなくし、かつ視野角を広げるという効果も有する。
　【００１９】
　表示装置の各層は、個別のビデオ信号を受け取ることになるだろう。これらの信号は別々の発信源から送られてくるようにしてもよいし、単独の発信源からの従来の信号から抽出されるようにしてもよい。
　個別の発信源を用いた二層の表示装置では、背景は一つの信号として、正面側は第二の信号として個別のスクリーンに送信される。例えば、背景像が山を有し、正面像がその山の前を走り抜ける自動車を有することもできる。
　個別の像の源は、複数の従来のカメラまたは三次元カメラで撮影して得ることもできるし、ブルー・スクリーン（ｂｌｕｅ　ｓｃｒｅｅｎ）、クロマ・キー（ｃｈｒｏｍａ　ｋｅｙ）、アルファ・チャネル（ａｌｐｈａ　ｃｈａｎｎｅｌ）または産業的に普通に用いられるカメラの組み合わせにより得てもよい。
　【００２０】
　単独の像の源からの奥行きの抽出は、ビデオデータの送信に使われる従来の圧縮アルゴリズムによって行うことができる。従来技術のビデオ圧縮アルゴリズムは、データ送信の帯域の節約のために、通常は、連続するフレーム間のピクセル変化を利用する。ビデオ圧縮アルゴリズムによるピクセル変化についてのデータは、各ピクセルの変化の量に基づく奥行きを抽出するのに使用できる。
　圧縮された信号は、表示装置に送られ、ここで、ピクセル変化に基づいて信号から各層へのビデオストリームが抽出される。
　例えば、山を通過する自動車を示すような普通の動画像があるとする。カメラは固定されており、これにより、フレームにおいては、山が静止しているのに対して自動車が視界を通過する。
　かかる動画像では、自動車を示すピクセルは変化するが、山を示すピクセルは一定のままである。従って、大きく変化するピクセル（自動車）は、正面側スクリーンに割り当てられ、変化の少ないピクセル（山）は背景側スクリーンに割り当てられるだろう。
　【００２１】
　この発明の概要において偏光について説明した部分はＬＣＤ構造に限定されないと理解すべきである。当業者には、他の非偏光表示装置でも要求に応じてある種の偏光特性を持つように調節することはできるからである。
　さらにまた、この発明の概要は、ＬＣＤだけでなく全てのスクリーンタイプを含むものであることは当業者には容易に理解できる。スクリーンタイプに唯一求められるのは、透明になることができる能力だけである。従って、本発明は、投射、ＣＲＴ、ＦＥＤ、ＬＣＤスクリーンを含み、かつそれらに限定されないと理解すべきである。
　【００２２】
−−発明を実施するための最良の形態−−
　本発明のさらなる特徴は、図面を参照した以下の説明により明らかになるだろう。ただし、説明は例示のためになされるに過ぎない。
　以下、本発明の様々な好適な実施の形態について明らかにする。ここでは完全な詳細が開示されるが、好適な実施形態の各特徴は単独で使われるだけでなく、多層表示装置の一般的仕様を満足しつつ本発明の他の描写との組み合わせでも使われうる。
　【００２３】
　本発明の好適な実施形態は、選択的に透明なスクリーンの複数の層を組み合わせることにより、奥行きを持つ改良された表示装置を提供する。
　簡単な多層像表示装置が図１に示されている。背景スクリーン１がいくらかの距離２をもって正面側スクリーン３の後方に配置されている。ＬＣＤのようなある種の表示装置では、バックライト４が必要とされることもありうる。各スクリーンは、像５，６を示すことができる。正面側スクリーン６で表示された像は、背景スクリーン５で表示された像よりも近くにあるように見える。
　【００２４】
　スクリーンの間に屈折体１２がさらに配置された実施形態が図２に示されている。見る者８に送られる光７は線９において素材の屈折角（数字１０で示す）で曲げられて、後方スクリーンの端縁が視野角のどこからも見えないようになる。もし光の屈折がないとするなら、後方スクリーンの端縁は数字１１で示すように９０°より小さいどの角度からでも見えてしまうだろう。
　収差を最小限にするため、平行面を持った、光学的に透明な材料、例えばガラスまたはアクリルからなるシートを屈折体１２として用いることもできる。かかる屈折体は、背景スクリーン１よりも正面側スクリーン３が小さいサイズを持つように制限するだろう。本発明の一つの好適な実施形態では、背景スクリーンの端縁から１３５°もの位置に、正面側スクリーンの端縁があるようにすることができる。
　【００２５】
　他の好適な実施形態では、屈折体はフレネルレンズのようなレンズである。ただし、フレネルレンズに限定されない。その実施形態では、両方のスクリーンはレンズよりも小さいサイズを持つことになるだろう。
　【００２６】
　スクリーンの間に、わずかに光を拡散する層１３がさらに配置された実施形態が図４に示されている。この層がないと、重なったスクリーン層におけるわずかなピクセルパターンの相違が組み合わさることによって、干渉１４が発生してしまう。スクリーンの間にこの拡散層１３を配置することにより、各スクリーンにおけるピクセルパターンをわずかに拡散し、数字１５で示すように干渉をなくすことができる。
　あるいは、一方のスクリーンにおいてストライプのピクセルパターンを用い、他方のスクリーンに４５°傾いたピクセルパターンを用いることにより干渉をなくすことも可能である。
　【００２７】
　さらに明確化するために、完全な構造を図５に示す。この複合体は、スクリーン３，６の間の距離によって決まる制約ある本来の奥行きを持った表示装置をなす。また、これは、選択的な光拡散体が追加されていることにより、無制限の奥行きがあるかのように見せる。
　背景スクリーン１の前方には偏光体シート１７が配置されている。この偏光体シート１７は偏光源を形成する。あるいは、背景スクリーン１は偏光出力を持つＬＣＤであってもよい。偏光体の前方には選択的な光拡散体１８が配置されている。拡散体１８の前方には、屈折体１２が配置されている。屈折体の前方には、後方偏光体のようなものを持たないＬＣＤ１６が配置されている。
　【００２８】
　選択的な拡散体１８が透明になるように設定された場合には、後方スクリーンは偏光を出力して、正面側スクリーン上の像が見えるようにする。
　一方、選択的な拡散体１８が光を拡散するように設定された場合には、後方スクリーンの偏光出力は拡散光に変換され、これにより正面側の像が見えなくなる。
　【００２９】
　ＬＣＤのようなある種のスクリーン技術では、正面側スクリーンが不透明になるような能力を持つことが望ましい。この好適な実施形態は図６に示されている。この複合体は正面側スクリーンが不透明になる表示装置を提供する。この形態では、後方スクリーン１の隣には屈折体１２が設けられ、その隣には選択的な光拡散体１８が設けられ、さらにその隣には正面側スクリーン３が設けられている。正面側スクリーン上の像を不透明にするために、選択可能な拡散体が選択されて、不透明となるように選択された領域の背後の領域を拡散する。
　【００３０】
　さらに別の実施形態として、図７は三層表示装置を示す。この三層表示装置は上記技術の大部分のものを持っている。この表示装置は、三つの有限の奥行きの平面を有している。そのうちの最前スクリーン３は、その後方にある選択的な光拡散体１８により選択的に不透明になる。中間ＬＣＤスクリーン１６はその後方に偏光体を持たないので無限の奥行きを有する。また、中間ＬＣＤスクリーン１６は、その動作に必要な偏光を拡散させるための、後方偏光体１７の前方にある選択的な光拡散体１８の能力を有する。
　【００３１】
　スクリーンへ像を送信する概略的な方法が図８に示されている。ある像は背景スクリーン１に送信される。他の像は正面側スクリーン３に送信される。
　あるいは、ありふれたビデオ圧縮アルゴリズムで作成されたデータを用いて、単一の像から別々のビデオ信号が抽出されるようにしてもよい。例えば、山の前方を自動車が通り過ぎて行く動画の信号が一連のフレームとして作成されて送信される。このシーケンスは、ビデオ圧縮アルゴリズム２３に供給される。ビデオ圧縮アルゴリズム２３では、ピクセルの色、ピクセルの位置および連続するフレームの間のピクセルの動きの量といったピクセルの性質を示す数値のシーケンスに、像を変換する。
　【００３２】
　この例では、閾値Ｘより多い変化値を持つピクセルが経路２４を経て正面側スクリーン３に供給され、閾値Ｘより小さい変化値を持つピクセルが経路２７を経て背景スクリーン１に送られる。本形態（図８）では、自動車を表すピクセルは高いピクセル変化量を持つので、正面側スクリーン３に送られ、山はＸより小さいピクセル変化量を持つので背景スクリーン１に送られる。
　当業者には容易に理解できることとして、出力を多様にするために、閾値および閾値の許容差を調節することも可能である。さらに、二層を越える多層表示装置では、複数の閾値を決めておいてもよい。
　【００３３】
　以上の詳細な説明および添付図面から明らかなように、本発明は、表示装置において奥行きを表示する方法を有しており、この表示装置は、見る者の動作があっても視差を許容し、本来あるべき収束を許容し、従来技術の表示装置を見る場合の制限なしの広い視野角を許容する。
　また、各部品は表示装置の奥行きを向上させ、単独または組み合わせにおいて、従来技術の表示装置を改善することができる。当業者にとっては、請求の範囲に記載の各請求項が様々な形式で組み合わせられることは自明である。
　以上、本発明の様々な特徴を単なる例示のために説明したが、本発明の範囲において修正および追加が可能であることはいうまでもなかろう。
【図面の簡単な説明】
　【図１】　本発明の一実施形態に係る基本的な多層表示装置を示す概略図である。
　【図２】　本発明の一実施形態に係る、屈折体を有する多層表示装置を示す図である。
　【図３】　本発明の一実施形態に係る多層表示装置におけるモアレ干渉パターンを示す図である。
　【図４】　本発明の一実施形態に係る拡散体と、その拡散体の上記モアレ干渉パターンに対する効果を示す図である。
　【図５】　本発明の一実施形態に係る、奥行きを増した多層表示装置を示す図である。
　【図６】　本発明の一実施形態に係る、明度を増した多層表示装置を示す図である。
　【図７】　本発明の一実施形態に係る、三層表示装置を示す図である。
　【図８】　本発明の一実施形態に係る、各スクリーン層で像を表示させる方法を示す図である。
【図面】